(57)【要約】【課題】更に、下車した駅やバス停から再入場、再乗車した時刻履歴から良く利用する時間帯を割り出して下車した駅やバス停の時刻表や運行情報をあらかじめ検索し自勤表示されれば非常に便利である。【解決手段】本発明の携帯端末装置は、非接触ＩＣカードを内蔵、または非接触ＩＣカードとの接続機能を有する携帯端末装置において交通機関の自動改札機を通過した時に自動改札機から少なくてもその入場駅および出場駅の情報を受信した前記非接触ＩＣカードから前記入場駅および出場駅の情報を受信する受信手段と、ネットワークに接続するネットワーク接続手段と、現在の時刻情報を発生する時計手段と、前記ネットワークに接続し前記出場駅情報を情報サーバに送信し、この情報サーバから前記出場駅の時刻表情報、運行情報および駅周辺情報の検索結果を受信する制御手段と、当該時刻表情報、運行情報および駅周辺情報を表示する表示手段とを備えた事を特徴とした。【選択図】図１
2007316706.tif 000002
【特許請求の範囲】
【請求項１】
非接触ＩＣカードを内蔵、または非接触ＩＣカードとの接続機能を有する携帯端末装置において交通機関の自動改札機を通過した時に自動改札機から少なくてもその入場駅および出場駅の情報を受信した前記非接触ＩＣカードから前記入場駅および出場駅の情報を受信する受信手段と、ネットワークに接続するネットワーク接続手段と、現在の時刻情報を発生する時計手段と、前記ネットワークに接続し前記出場駅情報を情報サーバに送信し、この情報サーバから前記出場駅の時刻表情報、運行情報および駅周辺情報の検索結果を受信する制御手段と、当該時刻表情報、運行情報および駅周辺情報を表示する表示手段と、を備えた事を特徴とする携帯端末装置
【請求項２】
非接触ＩＣカードを内蔵、または非接触ＩＣカードとの接続機能を有する携帯端末装置において交通機関の自動改札機を通過した時に自動改札機から少なくてもその入場駅および出場駅の情報を受信した前記非接触ＩＣカードから前記入場駅および出場駅の情報を受信する受信手段と、ネットワークに接続するネットワーク接続手段と、現在の時刻情報を発生ずる時計手段と、前記ネットワークに接続し前記入場駅および出場駅情報を情報サーバに送信し、この情報サーバから前記出場駅から入場駅間の時刻表情報、運行情報の検索結果を受信する制御手段と、当該時刻表情報、運行情報を表示する表示手段と、を備えた事を特徴とする携帯端末装置
【請求項３】
前記制御手段は情報検索用のデータベースの全体または一部を記臆する記憶手段を備え、前記情報サーバに接続することなく前記時刻表情報、運行情報および駅周辺情報を表示できることを特徴とする請求項１または請求項２に記載の携帯端末装置
【請求項４】
非接触ＩＣカードを内蔵、または非接触ＩＣカードとの接続機能を有する携帯端末装置において実行されるコンピュータプログラムであって、交通機関の自動改札機を通過した時に自動改札機から少なくてもその入場駅および出場駅の情報を受信した前記非接触ＩＣカードから前記入場駅と出場駅の情報を受信する受信機能と、現在時刻を確認し、前記出場駅の時刻表情報、運行情報および駅周辺情報の検索処理を実行する機能と、検索結果を表示させる機能と、を実現するコンピュータプログラム
【発明の詳細な説明】
【技術分野】
【０００１】
本発明は、非接触ＩＣカードを備える携帯端末装置に関するものである。
【背景技術】
【０００２】
現在、インターネットを利用したサービスとして利用者が鉄道やバス等の交通機関の時刻表を入手することが可能である。また、経路や運賃を検索するサービスも提供されている。これらは通信手段を備えた携帯電話等の携帯端末装置でも利用が可能である。また、非接触ＩＣカードを利用して乗車券や定期券の代わりとして利用するサービスが開始され携帯電話等の携帯端末装置にも非接触ＩＣカードが搭載され同様のサービスが利用できるようになってきている。
【特許文献１】特開２００２−２９８１６９号公報
【発明の開示】
【発明が解決しようとする課題】
【０００３】
しかしながら、インターネットを利用して鉄道やバス等の交通機関の時刻表を入手するには、利用者がインターネットにアクセスして必要な駅名やバス停名を入力しないと入手することはできない。また、利用者が鉄道やバス等の交通機関を利用する場合、最後に出場した駅や下車したバス停から再度乗車する可能性が高い、この時最後に出揚した駅や下車したバス停の時刻表や交通機関の遅れ、運休等の運行情報が自動表示されれば非常に便利である。また、出場した駅や下車したバス停周辺の地図等の情報も自動で得られても便利である。また、通勤や通学等においては、最後に出場した駅や下車したバス停と最後に入場した駅や最後に乗車したバス停間の交通機関を再び利用する可能性が高いためこの区間の時刻表や交通機関の遅れ、運休等の運行情報が自動表示されれば非常に便利である。
【０００４】
更に、下車した駅やバス停から再入場、再乗車した時刻履歴から良く利用する時間帯を割り出して下車した駅やバス停の時刻表や運行情報をあらかじめ検索し自勤表示されれば非常に便利である。
【課題を解決するための手段】
【０００５】
上記目的を達成するために、本発明による携帯端末装置は、非接触ＩＣカードを内蔵、または非接触ＩＣカードとの接続機能を有し、交通機関の自動改札機を通過した時に自動改札機から少なくてもその入場駅および出場駅の情報を受信した前記非接触ＩＣカードから前記入場駅および出場駅の情報を受信する受信手段と、ネットワークに接続するネットワーク接続手段と、現在の時刻情報を発生する時計手段と、前記ネットワークに接続し前記出場駅情報を情報サーバに送信し、この情報サーバから前記出場駅の時刻表情報、運行情報および駅周辺情報の検索結果を受信する制御手段と、当該時刻表情報、運行情報および駅周辺情報を表示する表示手段と、を備えた事を特徴とする。
【０００６】
この構成では、時刻表情報、運行情報、駅周辺情報検索のための入場駅、出場駅の情報は、自動改札機の通過時に非接触ＩＣカードを通して自動的に取得される。
【０００７】
前記携帯端末装置において時刻表情報、運行情報、駅周辺情報のデータベースの全体または一部を記憶する記憶手段をさらに備え、この構成では、利用者が情報を照会する度に情報サーバに接続することなく情報を表示する事が可能になる。
【０００８】
本発明によるコンピュー一タプログラムは非接触ＩＣカードを内蔵、または非接触ＩＣカードとの接続機能を有する携帯端末装置において実行されるコンピュータプログラムであって、交通機関の自動改札機を通過した時に自動改札機から少なくてもその入場駅および出場駅の情報を受信した前記非接触ＩＣカードから前記入場駅および出場駅の情報を受信する受信機能と、現在時刻を確認し、前記出場駅の時刻表情報、運行情報および駅周辺情報の検索処理を実行する機能と、検索結果を表示させる機能と、を実現することを特徴とする。
【０００９】
さらに、本発明によるコンピュータプログラムは非接触ＩＣカードを内蔵、または非接触ＩＣカードとの接続機能を有する携帯端末装置において実行されるコンピュータプログラムであって、交通機関の自動改札機を通過した時に自動改札機から少なくてもその入場駅および出場駅の情報を受信した前記非接触ＩＣカードから前記入場駅および出場駅の情報を受信する受信機能と、現在時刻を確認し、前記出場駅と入場駅間の時刻表情報、運行情報の検索処理を実行する機能と、検索結果を表示させる機能と、を実現することを特徴とする。
【発明の効果】
【００１０】
本発明の構成は、非接触ＩＣカードを介して自動改札機から得られる情報を有効に活用して、出場駅の出場駅の時刻表情報、運行情報および駅周辺情報が自動的に表示される事になり利用者にとって手間無く情報を入手することが可能となる。また、最後の出場駅と最後の入場駅間の時刻表情報、運行情報を自動的に表示されることになり、通勤、通学等に交通機関を利用する場合、出発時、帰宅時における交通機関の情報を容易に確認できることが可能となる。
【発明を実施するための最良の形態】
【００１１】
本発明の全体の構成としては、図１のように非接触ＩＣカードを内蔵した携帯端末装置、携帯電話基地局を介して接続される情報サーバ、自動改札機より構成される。非接触ＩＣカードは、近接通信用の通信機能を備えており、自動改札機に備えられた通信装置を介して、自動改札機とのデータの送受信が可能である。
【００１２】
駅構内に入場または出場時に自動改札機を通過する際非接触ＩＣカードには自動改札機から入場駅情報または出場駅情報が送信される。非接触ＩＣカードからＩＣカードインタフェースを介してＣＰＵに情報が送られ、入場駅情報または出場駅情報を受信した時点でこれらの情報を記憶装置に蓄積する。次に図２により出場駅での時刻表情報、運行情報および駅周辺情報検索時の説明を行う。利用者は、携帯端末の入力装置から情報検索を指示する。携帯端末は、あらかじめ記憶されている出場駅情報と時計から得た現在時刻を変復調器、アンテナ、携帯電話基地局経由で携帯電話網やインターネット等の公衆回線を経て情報サーバに接続する。情報サーバは出場駅での時刻表情報、運行情報および駅周辺情報検索結果を携帯端末に返送する。携帯端末装置は返送された検索結果を記憶装置に蓄積すると共に表示装置に表示する。
【００１３】
次に図３により出場駅から入場駅間の時刻表情報、運行情報検索時の説明を行う。利用者は、携帯端末の入力装置から情報検索を指示する。携帯端末は、あらかじめ記憶されている入場駅情報、出場駅情報と時計から得た現在時刻を変復調器、アンテナ、携帯電話基地局経由で携帯電話網やインターネット等の公衆回線を経て情報サーバに接続する。情報サーバは出場駅から入場駅間の時刻表情報、運行情報の検索結果を携帯端末に返送する。携帯端末装置は返送された検索結果を記憶装置に蓄積すると共に表示装置に表示する。
【００１４】
図２および図３における情報照会の指示はとくに利用者が行わず、出場駅情報を受信した段階で自動的に行うことも可能である。この場合、利用者が情報検索の指示を出した時はあらかじめ記憶装置に蓄積された検索結果を表示する事になる。また、再検索の指示を選択する事も可能である。
【産業上の利用可能性】
【００１５】
本発明は、非接触ＩＣカードを使う公共システム等に利用できる。
【図面の簡単な説明】
【００１６】
【図１】本発明における構成を示すブロック図
【図２】本発明における出場駅での情報検索の流れを示すタイミング図
【図３】本発明における出場駅から入場駅間の情報検索の流れを示すタイミング図
【図１】
2007316706.tif 000003
【図２】
2007316706.tif 000004
【図３】
2007316706.tif 000005